(57)【要約】【課題】配管におけるプラグの発生を抑制し、広い空間を必要とせずに血液透析廃液のＣＯＤおよびＢＯＤを有効に低減できる透析廃液処理装置を提供する。【解決手段】血液透析装置から生じる透析廃液を輸送する輸送管と、前記輸送管によって輸送される透析廃液による細菌の増殖を抑制するための静菌処理槽と、前記静菌処理槽内にオゾン水を放出するオゾン水放出ノズルとを有する血液透析装置の廃液処理装置。【選択図】　　図１
2004057703.tif 000002
【特許請求の範囲】
【請求項１】
血液透析装置から生じる透析廃液を輸送する輸送管と、前記輸送管によって輸送される透析廃液による細菌の増殖を抑制するための静菌処理槽と、前記静菌処理槽内にオゾン水を放出するオゾン水放出ノズルとを有することを特徴とする血液透析装置の廃液処理装置。
【請求項２】
前記輸送管は、輸送される透析廃液が前記静菌処理槽に達するまで透析廃液を実質的に気密に保持することを特徴とする請求項１記載の血液透析装置の廃液処理装置。
【請求項３】
前記オゾン水放出ノズルは、前記輸送管の透析廃液出口および前記静菌処理槽内の露出壁面にオゾン水を放出するように構成されていることを特徴とする請求項１記載の血液透析装置の廃液処理装置。
【請求項４】
前記静菌処理槽内の透析廃液に対してオゾンガスを供給するためのオゾンガス供給部と、前記静菌処理槽内の透析廃液に紫外線を照射する紫外線ランプとを有することを特徴とする請求項１ないし３のいずれかに記載の血液透析装置の廃液処理装置。
【請求項５】
前記静菌処理層の後段に有機物分解処理槽を設け、前記有機物分解処理槽内の透析廃液に対してオゾンガスを供給するためのオゾンガス供給部を設け、前記有機物分解処理槽内の透析廃液に紫外線を照射するように紫外線ランプを設けたことを特徴とする請求項１ないし３のいずれかに記載の血液透析装置の廃液処理装置。
【請求項６】
前記オゾンガスの添加により前記透析廃液の液面上に生じる泡にも前記紫外線を照射するように前記紫外線ランプを設けたことを特徴とする請求項４または５記載の血液透析装置の廃液処理装置。
【請求項７】
前記静菌処理槽の前段に、水の冷却器と、水にオゾンを溶存させてオゾン水を生成するオゾン水生成部とを設けたことを特徴とする請求項１ないし６のいずれかに記載の血液透析装置の廃液処理装置。
【発明の詳細な説明】
【０００１】
【発明の属する技術分野】
本発明は、血液透析装置の廃液処理装置に関する。
【０００２】
【従来の技術】
血液透析装置の廃液は、ブドウ糖などの栄養分に富んでおり、化学的酸素要求量（ＣＯＤ）および生物化学的酸素要求量（ＢＯＤ）が高いため、下水道へ排出する前にＣＯＤおよびＢＯＤを低下させることが好ましい。血液透析廃液は、活性汚泥槽のような設備があれば生物処理を施すことができる。しかし、活性汚泥槽の設置には広いスペースを必要とするため、都市部、特に市街中心部のテナントビル内にある診療所などでは活性汚泥槽を設置することはほとんど不可能である。このため、都市部の大半の診療所で発生する血液透析廃液は、特別な処理を行わずにそのまま、またはわずかにｐＨを調整してから直接下水道もしくは公共水域に排出されているのが現状である。
【０００３】
従来、血液透析廃液の処理装置としては、例えば特開２００１−１４９４７に開示されているものが知られている。この装置は、タンク内で透析廃液とオゾン水とを効率的に混合するものである。この装置は、透析廃液の臭いを除去し、透析廃液中に含まれる栄養分を分解することを目的としている。
【０００４】
しかし、水に対するオゾンの溶解度が低く、しかも水中のオゾンは急速に分解するため、透析廃液に対してオゾン水を混合して処理するだけでは、ＢＯＤおよびＣＯＤレベルを十分に低減させることはできない。
【０００５】
また、より重大な問題は、透析廃液が血液透析装置からタンクへ達するまでの配管内に細菌（主に好気性細菌）の産生物が成長し、プラグ（栓）が発生して配管が詰まるという点にある。このようなプラグを除去して配管をメンテナンスするには、煩雑な作業が必要になる。
【０００６】
【発明が解決しようとする課題】
本発明の目的は、配管におけるプラグの発生を抑制することができる血液透析装置の廃液処理装置を提供することにある。本発明の他の目的は、広い空間を必要とせずに血液透析廃液のＣＯＤおよびＢＯＤを減少させることができる血液透析装置の廃液処理装置を提供することにある。
【０００７】
【課題を解決するための手段】
本発明に係る血液透析装置の廃液処理装置は、血液透析装置から生じる透析廃液を輸送する輸送管と、前記輸送管によって輸送される透析廃液による細菌の増殖を抑制するための静菌処理槽と、前記静菌処理槽内にオゾン水を放出するオゾン水放出ノズルとを有する。
【０００８】
本発明の装置において、前記輸送管は、輸送される透析廃液が前記静菌処理槽に達するまで透析廃液を実質的に気密に保持することが好ましい。また、前記オゾン水放出ノズルは、前記輸送管の透析廃液出口および前記静菌処理槽内の露出壁面にオゾン水を放出するように構成されていることが好ましい。
【０００９】
本発明の装置は、前記静菌処理槽内の透析廃液に対してオゾンガスを供給するためのオゾンガス供給部と、前記静菌処理槽内の透析廃液に紫外線を照射する紫外線ランプとを有していてもよい。
【００１０】
また、本発明の装置においては、前記静菌処理層の後段に有機物分解処理槽を設け、前記有機物分解処理槽内の透析廃液に対してオゾンガスを供給するためのオゾンガス供給部を設け、前記有機物分解処理槽内の透析廃液に紫外線を照射するように紫外線ランプを設けることが好ましい。
【００１１】
なお、紫外線ランプは、オゾンガスの添加により透析廃液の液面上に生じる泡にも紫外線を照射するように設けることが好ましい。
【００１２】
また、本発明の装置においては、前記静菌処理槽の前段に、水の冷却器と、水にオゾンを溶存させてオゾン水を生成するオゾン水生成部とを設けることが好ましい。
【００１３】
【発明の実施の形態】
以下、本発明をより詳しく説明する。
図１は、本発明の一実施形態に係る血液透析装置の廃液処理装置の構成を示すブロック図である。ただし、本発明の装置はこれに限定されず、目的に応じて種々の変更が可能である。
【００１４】
図１に示す透析廃液処理装置１は、主要な処理槽として、透析廃液による細菌の増殖を抑制するための静菌処理槽２と透析廃液中の有機物を分解する有機物分解処理槽１０とを有する。
【００１５】
血液透析装置２０から排出される透析廃液は、輸送管３を通して静菌処理槽２へ輸送される。ここで、血液透析装置２０とは、透析液生成部および患者監視部を含む。輸送管３の透析廃液出口は、静菌処理槽２に貯留される透析廃液の液面上部の空間に開口している。この輸送管３内を輸送される透析廃液は、静菌処理槽２に達するまで実質的に気密に保持される（すなわちほとんど空気に触れないようにする）ことが好ましい。なお、図１では１つの血液透析装置２０から１つの輸送管３が静菌処理槽２まで延長されている状態を図示しているが、診療所のように複数の血液透析装置２０が設置されている場合には、各々の血液透析装置２０から輸送管３がそれぞれ、あるいは連結の上静菌処理槽２まで延長される。
【００１６】
静菌処理槽２の前段には、オゾン水を生成するための水の給水管４が設けられている。使用する水は水道水、あるいはＲＯ水を生成する際の濃縮水（通常は廃水として排出される）等でよく、特開２００１−１４９４７に記載されているように必ずしも逆浸透膜（ＲＯ膜）を用いてろ過したＲＯ水などの比較的きれいな水を用いる必要はない。給水管４の途中には冷却器７およびベンチュリ６が設けられ、給水管４は静菌処理槽２内に挿入され、その末端にはオゾン水を放出するためのオゾン水放出ノズル８が設けられている。なお、使用する水の水圧によっては、ベンチュリ６の手前にポンプを設けることもできる。また、静菌処理槽２には、オゾンを含む排ガスを外部へ排気するための排気管９が設けられている。
【００１７】
水は冷却器７で冷却され、ベンチュリ６においてオゾンガス供給部５からオゾンが供給されることによってオゾン水となり、オゾン水はオゾン水放出ノズル８から静菌処理槽２内に放出される。オゾン水放出ノズル８は、輸送管３の透析廃液出口および静菌処理槽２内の露出壁面（側壁面および天井壁面）にオゾン水を放出するように構成されている。このように透析廃液をできるだけ空気に触れさせないようにした状態でオゾン水によるオゾン処理を施すことによって、輸送管３および静菌処理槽２内で細菌の増殖を抑制することができ、プラグの発生を有効に防止できる。
【００１８】
なお、冷却器７は必ずしも設ける必要はないが、水を冷却して溶存オゾン濃度を増加させることが好ましいので、冷却器７を設けることが好ましい。また、透析廃液の温度は体温（約３７℃）に近く、透析廃液の温度が高いことは細菌の増殖の原因となるばかりでなく、後段の有機物分解槽でのオゾンガスの吸収率に悪影響を与える。このため、冷却器７を設けて低温のオゾン水を供給することが好ましい。
【００１９】
静菌処理槽２で処理された透析廃液は、活性汚泥槽で生物処理することによりＣＯＤおよびＢＯＤを低減できるが、上述したように活性汚泥槽は広い設置スペースを必要とする。そこで、本発明の装置では、透析廃液のＣＯＤおよびＢＯＤを低減させるために、上述した構成に加えてさらに有機物分解処理槽１０を設けることが好ましい。
【００２０】
静菌処理槽２と有機物分解処理槽１０の間には透析廃液の配管１１が設けられ、配管１１の途中にはポンプ１２およびベンチュリ１３が設けられている。静菌処理槽２で処理された透析廃液は、配管１１内をポンプ１２により輸送され、ベンチュリ１３においてオゾンガス供給部１４からオゾンガスが供給された後に有機物分解処理槽１０に入る。有機物分解処理槽１０には、透析廃液に紫外線を照射するための低圧水銀ランプなどの紫外線ランプ１５が設けられている。
【００２１】
なお、有機物分解処理槽１０内の透析廃液に対してオゾンガスを供給するために、有機物分解処理槽１０内にディフューザーを設けてオゾンガス供給部からのオゾンガスをバブリングしてもよい。
【００２２】
有機物分解処理槽１０内ではオゾンガスおよび紫外線の作用により有機物が迅速に分解され、ＣＯＤおよびＢＯＤを有効に低減することができる。ここで、血液透析装置は酢酸や過酢酸を含む消毒剤を用いて消毒を行うことがあり、これらの物質は透析廃液のＣＯＤを上昇させる場合もあるが、これらの物質も有機物分解処理槽１０で有効に分解することができる。また、紫外線の照射によりオゾンが分解されるので、排ガス中のオゾン濃度を低くすることができる。有機物分解処理槽１０内でオゾンガスのみを用いて透析廃液を処理しようとすると、泡が発生して有機物分解処理槽１０から透析廃液があふれることもあるが、オゾンガスによる処理時にこの泡に紫外線を照射すると泡の発生を制御することもできる。従って、紫外線ランプ１５は、紫外線を透析廃液だけでなく、その液面上に生じる泡にも照射できるように、図１に示すように透析廃液の液面より上まで出るように設置されることが好ましい。なお、紫外線ランプは複数個設けてもよい。有機物分解処理槽１０で処理され、ＣＯＤおよびＢＯＤが低減された透析廃液は、排出口１６から下水道へ排出することができる。
【００２３】
なお、オゾンガスによる処理時に泡に直接紫外線を照射することにより発泡を制御する方法は、透析廃液だけでなく、オゾンガス処理時に発泡する他の廃液にも応用できると考えられる。
【００２４】
有機物分解処理槽１０にも、オゾンを含む排ガスを外部へ排気するための排気管９が設けられている。静菌処理層２および有機物分解処理槽１０から排気管９を通して排気されたオゾンを含む排ガスは、活性炭、触媒などを充填した排ガス処理部１７でオゾンの処理を行った後に大気中に放出される。また、排ガス処理部１７はオゾンガスの熱分解を行うものでもよい。
【００２５】
なお、図１では、静菌処理層２と別に有機物分解処理槽１０を設けてオゾンガスおよび紫外線による処理を行っているが、静菌処理層２内の透析廃液に対してオゾンガスおよび紫外線による処理を行うようにしてもよい。
【００２６】
また、透析廃液処理をより効率的に行うために、オゾン水に過酸化水素等の添加物を加えてもよい。
【００２７】
上記のような構成を有する本発明の血液透析装置の廃液処理装置では、従来問題となっていた配管におけるプラグの発生を抑えることができる。また、活性汚泥槽を設置する場合のように広い空間を必要とせずに、ＣＯＤおよびＢＯＤを有効に低減することも可能である。
【００２８】
次に、本発明の透析廃液処理装置を完成させるまでに行った予備的な実験について説明する。
【００２９】
＜実験１＞
通常、血液透析に用いられる透析液は、ブドウ糖やバッファとしての炭酸水素塩（例えば炭酸水素ナトリウム）などを含む混合溶液であり、透析廃液にはこれらに加えてさらに患者の血液から導入されたタンパク質などが含まれる。
【００３０】
そこで、人工的に作製した血液透析廃液（ＡＨＷ）をオゾン水で処理した場合のＯＤ（濁度）およびＣＦＵ（コロニー形成単位）を測定し、オゾン水の静菌効果を調べた。
【００３１】
まず、ＡＨＷ中で細菌を培養した。この溶液２ｍＬを、種々の濃度のオゾン水８ｍＬと混合し、混合液中のオゾンが検出されなくなるまで放置し、これを試料として用いた。オゾン濃度は、インディゴブルーを用いてＡＷＷＡ（米国廃水協会（Ａｍｅｒｉｃａｎ　Ｗａｓｔｅ　Ｗａｔｅｒ　Ａｓｓｏｃｉａｔｉｏｎ））規格に従って測定した。次に、この試料１００μＬを５ｍＬのミュラー・ヒントン（Ｍｕｌｌｅｒ　Ｈｉｎｔｏｎ）ブロスに添加して４８時間インキュベート後、波長６８０ｎｍにおける濁度（ＯＤ）を測定した（図２）。また、試料１ｍＬをペトリフィルムＴＭ（３Ｍ社製、一般生菌数測定用）上で４８時間インキュベート後、ＣＦＵを測定した（図３）。実験はそれぞれ３回ずつ行い、グラフにおいては各測定結果をそれぞれ異なる形状のマークで示した。いずれの結果からも、オゾン濃度が高いほど細菌の増殖を抑制できることが明らかとなった。
【００３２】
＜実験２＞
実験１で使用したものと同じＡＨＷを、水およびオゾン水でそれぞれ処理し、目視により比較した。濃度１０ｍｇ／Ｌ（１０ｐｐｍ）のオゾン水５０ｍＬと細菌を含むＡＨＷ２５ｍＬとを混合した試料Ａと、水５０ｍＬと細菌を含むＡＨＷ２５ｍＬとを混合した試料Ｂとを調製し、５日後に観察した。その結果、試料Ａは透明であったのに対し、試料Ｂは濁っており、オゾンを含む水は細菌の増殖を抑制することが視覚的にも確認された。
【００３３】
＜実験３＞
次に、血液透析廃液のオゾン水処理における、オゾン水濃度に対するＣＯＤの減少率の関係を調べた。ここでは、酸化剤として重クロム酸カリウムを用いて測定されたＣＯＤ値をＣＯＤＣｒと示す。重クロム酸カリウムを用いた測定方法では酢酸も検出することができ、酸化剤として過マンガン酸カリウムを用いて測定されたＣＯＤ値（ＣＯＤＭｎ）に比べて大きな値が得られる。これは、重クロム酸カリウムは過マンガン酸カリウムよりも多くの種類の有機物を酸化するためである。さらに、透析廃液中に含まれる有機物はほとんどＢＯＤとして検出されるため、ＣＯＤＣｒはＣＯＤＭｎよりもＢＯＤに近似した値が得られる。
【００３４】
オゾン濃度１１．７ｍｇ／Ｌのオゾン水とＡＨＷとを種々の割合で混合してそれぞれについてＣＯＤＣｒを測定した。この値をＡＨＷのみの場合のＣＯＤＣｒと比較し、その減少率を百分率で表したものを、図４に示した。この結果、オゾン濃度が高いほどＣＯＤＣｒは減少することが明らかとなった。
【００３５】
また、上述した試料と同じ試料について、反応開始から２分後に溶液中のオゾン濃度を測定したところ、いずれの試料についてもオゾンは検出されなかった（図５）。また、比較として純水に溶解させたオゾン濃度の経時変化を図６に示した。
【００３６】
図６と図５の結果から、純水に溶存したオゾンは短時間のうちに分解され、さらに有機物が存在する透析廃液にオゾン水を混合した場合には２分以内にオゾンが消費されることがわかる。
【００３７】
以上の実験１〜３の結果から、図１に示した本発明の装置のように、透析装置２０から静菌処理槽２までの間で透析廃液が空気に触れる領域ができるだけ形成されないようにし、静菌処理槽２でオゾン水によるオゾン処理を施して大部分の細菌を死滅させるようにすれば、細菌の増殖を抑制することができ、プラグの発生を有効に防止できることがわかる。そのためには、オゾン水を透析廃液と直接混ぜるのではなく、ノズル方式にし、オゾン水のままで輸送管３の透析廃液出口および静菌処理槽２内の露出壁面に放出することが有効であると考えられた。
【００３８】
本発明においては、図１に示したように、冷却水にオゾンを供給してオゾン水中のオゾン濃度を高めることが好ましい。水へのオゾンの溶解度は、例えば　Ｏｚｏｎｅ　ｉｎ　Ｗａｔｅｒ　Ｔｒｅａｔｍｅｎｔ：　Ａｐｐｌｉｃａｔｉｏｎ　ａｎｄ　ｅｎｇｉｎｅｅｒｉｎｇ，　ｅｄｉｔｅｄ　ｂｙ　Ｂｒｕｎｏ　Ｌａｎｇｌａｉｓ，　Ｄａｖｉｄ　Ｒｅｃｋｈｏｗ，　Ｄｅｂｏｒａｈ　Ｒ．　Ｂｒｉｎｋ，　Ｌｅｗｉｓ　Ｐｕｂｌｉｓｈｅｒｓ　１９９１，　ｐ１１３　に示されている。この文献によれば、添加するガス中のオゾン濃度（ｍｇ／Ｌ）に対する水に溶解するオゾン濃度（ｍｇ／Ｌ）の比は、３５℃では０．１２であるが、２０℃では０．２１、１４．５℃では０．２９である。したがって、水の温度が低いほど、オゾンの吸収率が増加し、効率的にオゾンを使用することができるので、本発明においては水を例えば２０℃以下に冷却することが好ましい。冷たいオゾン水を利用することによって透析廃液を３７℃から２０℃以下に温度を下げれば、後段のオゾンガス供給部１４でのオゾンの吸収率を倍近く上げることもできる。
【００３９】
＜実験４＞
オゾンを用いた透析廃液の処理における、紫外線照射の影響を調べた。
【００４０】
まず、ＡＨＷ５Ｌに１００ｍｇ／Ｌのオゾンガスを供給して混合し、これに低圧水銀ランプによる紫外線照射を行った場合と行わなかった場合とで排出される排ガス中のオゾン濃度を測定した。その結果を図７に示す。この結果より、紫外線照射を行わなかった場合には排ガス中にオゾンが含まれているのに対して、紫外線照射を行った場合にはオゾンはほとんど含まれていないことが明らかとなった。
【００４１】
次に、紫外線照射が廃液のＣＯＤに及ぼす影響について調べた。ＡＨＷ５Ｌに１００ｍｇ／Ｌのオゾンガスを供給し、これに低圧水銀ランプにより紫外線を照射したものとしないものについて、それぞれＣＯＤＣｒ（図８）およびＣＯＤＭｎ（図９）を測定した。これらの図より、ＣＯＤＣｒおよびＣＯＤＭｎのいずれも、紫外線を照射した方が速く減少することが明らかとなった。
【００４２】
また、これらの実験により、透析廃液に対して紫外線を照射せずにオゾンガスを供給すると多量の泡が発生するが、透析廃液に対して紫外線を照射しながらオゾンガスを供給すると、泡の発生がすぐに止まることが明らかとなった。
【００４３】
ここで、図１のベンチュリ１３において供給するオゾンガスの濃度は、ある程度の処理速度を得るためには、５０ｍｇ／Ｌ以上とすることが好ましい。
【００４４】
＜実験５＞
一般に、透析液中にバッファとして含まれる炭酸水素塩は、オゾンによる廃液処理に悪影響を及ぼすと言われている。そこで、オゾンによる廃液処理に対する炭酸水素塩の影響を調べた。具体的には、実験１〜４において使用したものと同じ人工的に作製した透析廃液（ＡＨＷ）と、炭酸水素塩を含まない透析液を用いて作製した透析廃液に、それぞれ１００ｍｇ／Ｌのオゾンガスを供給し、それぞれのＣＯＤＣｒおよびＣＯＤＭｎの経時変化を調べた。この結果を図１０に示す。この図より、炭酸水素塩を含む場合は含まない場合よりＣＯＤＣｒとＣＯＤＭｎの減少が速く、炭酸水素塩はオゾンによる透析廃液処理に対して悪影響を及ぼさないことが明らかとなった。
【００４５】
次に、透析廃液中のＣＯＤの主要な原因物質であるブドウ糖を用いて、オゾン処理における炭酸水素塩の影響を調べた。１ｇ／Ｌのブドウ糖を含む水溶液と、１ｇ／Ｌのブドウ糖および２５．２ｇ／Ｌの炭酸水素塩を含む水溶液とを調製した。これらに１００ｍｇ／Ｌのオゾンガスを供給し、それぞれのＣＯＤＣｒ、ＣＯＤＭｎ、およびｐＨの経時変化を調べた（図１１および図１２）。この結果、炭酸水素塩を含まない場合は時間の変化とともにｐＨが低下し（図１１）、炭酸水素塩を含む場合はその緩衝作用によりｐＨが一定に保たれていたが（図１２）、いずれの場合も時間の経過と共にＣＯＤは減少した。したがって、炭酸水素塩は廃液のオゾン処理に対して悪影響を及ぼすことはなく、むしろ炭酸水素塩を含む溶液の方が短時間でＣＯＤが低下することが明らかとなった。
【００４６】
【発明の効果】
以上詳述したように本発明の透析廃液処理装置によれば、配管におけるプラグの発生を抑制することができる。また、広い空間を必要とせずに血液透析廃液中のＣＯＤおよびＢＯＤを有効に低減させることができる。
【図面の簡単な説明】
【図１】本発明の一実施形態に係る血液透析装置の廃液処理装置の構成を示す図。
【図２】ＡＨＷを種々の濃度のオゾン水で処理した場合の微生物の増殖を示す濁度（ＯＤ）を表す図。
【図３】ＡＨＷを種々の濃度のオゾン水で処理した場合の微生物の生存数を示す図。
【図４】ＡＨＷのオゾン水処理におけるオゾン濃度とＣＯＤＣｒの減少率の関係を表す図。
【図５】ＡＨＷのオゾン水処理における初めのオゾン濃度と２分後のオゾン濃度の関係を表す図。
【図６】純水に溶解したオゾン濃度の経時変化を表す図。
【図７】ＡＨＷのオゾン水処理において紫外線を照射する場合としない場合における、排ガス中のオゾン濃度の経時変化を表す図。
【図８】ＡＨＷのオゾン水処理において紫外線を照射する場合としない場合における、廃液のＣＯＤＣｒの経時変化を表す図。
【図９】ＡＨＷのオゾン水処理において紫外線を照射する場合としない場合における、廃液のＣＯＤＭｎの経時変化を表す図。
【図１０】透析廃液のオゾン処理に対する炭酸水素塩の影響を表す図。
【図１１】ブドウ糖水溶液のオゾン処理におけるＣＯＤＣｒ、ＣＯＤＭｎ、およびｐＨの経時変化を表す図。
【図１２】ブドウ糖および炭酸水素塩を含む溶液のオゾン処理におけるＣＯＤＣｒ、ＣＯＤＭｎ、およびｐＨの経時変化を表す図。
【符号の説明】
１…透析廃液処理装置
２…静菌処理槽
３…輸送管
４…給水管
５…オゾンガス供給部
６…ベンチュリ
７…冷却器
８…オゾン水放出ノズル
９…排気管
１０…有機物分解処理槽
１１…配管
１２…ポンプ
１３…ベンチュリ
１４…オゾンガス供給部
１５…紫外線ランプ
１６…排出口
１７…排ガス処理部
２０…透析装置
【図１】
2004057703.tif 000003
【図２】
2004057703.tif 000004
【図３】
2004057703.tif 000005
【図４】
2004057703.tif 000006
【図５】
2004057703.tif 000007
【図６】
2004057703.tif 000008
【図７】
2004057703.tif 000009
【図８】
2004057703.tif 000010
【図９】
2004057703.tif 000011
【図１０】
2004057703.tif 000012
【図１１】
2004057703.tif 000013
【図１２】
2004057703.tif 000014